(57)【要約】      （修正有）【課題】作業中でも気軽に指圧ができる座席用指圧器を提供する。【解決手段】座席用指圧器１０は、座席の背もたれの前面に取り付けられ、座った者の背中と首筋または肩を同時に押圧する。この座席用指圧器１０は、所定幅の板材から成る本体１１を有する。断面三角形の棒状の一対の押圧部材１２を本体１１の前面の幅方向の両端に縦方向に沿ってそれぞれ取り付けてある。押圧部材１２の上端に隣接して各一対の第１の指圧部材１３と第２指圧部材１４を付設する。押圧部材が背中を、第１、第２の指圧部材が首筋のつぼを押圧し、刺激する。【選択図】図１
0003146377.tif 000002
【実用新案登録請求の範囲】
【請求項１】
座席の背もたれの前面に取り付けられてこの座席に座った者の背中と首筋または肩とを同時に押圧可能な座席用指圧器であって、
座席の背もたれの前面に取り付けられる、所定幅の板材からなる本体と、
この本体の一面でその幅方向の両端にそれぞれ固定されて、その断面が三角形で、その頂点が本体の一面から一定高さに突出し、かつその頂点が形成する稜線が本体の長手方向に沿って平行に延びる同一形状、同一長さの一対の押圧部材と、
上記本体の一面にてこれら一対の押圧部材のそれぞれの長手方向の一端側にこの一端に近接してそれぞれ配設され、上記各押圧部材の稜線より高く突設された、先端部が親指形状または半球形状の同一形状、同一長さの一対の第１の指圧部材と、
上記本体の一面にてこれら一対の押圧部材のそれぞれの長手方向の一端側にこの一端と第１の指圧部材との間にそれぞれ配設され、その突出高さが第１の指圧部材よりも低く上記各押圧部材の稜線より高く突設され、先端部が親指形状または半球形状の同一形状、かつ同一長さの一対の第２の指圧部材と、
を備えた座席用指圧器。
【請求項２】
上記本体は、Ｕ字形状の弾性材からなるフックにて上記背もたれに着脱自在とされた請求項１に記載の座席用指圧器。
【考案の詳細な説明】
【技術分野】
【０００１】
本考案は座席に取り付けて使用される座席用指圧器に関する。
【背景技術】
【０００２】
現代社会において、事務処理を業としている者は、日々、同一姿勢による作業により、肩こりなどの症状が発生する。この肩こりを解消するためにはマッサージ師によるマッサージや、専用のマッサージ機などの利用などが考えられる。しかしながら、いずれも経費がかかり、気軽に利用できない。
そこで、安価なあんま器として、従来、特許文献１に記載されたあんま器がある。このあんま器は基板表面の長手方向に多数の円柱状または台柱状の突起を平行に３列突設している。そして、左右両列の突起は大径に形成し、かつ人体の頭部、及びまたは頸部に接すべき突起を他よりも若干背高としている。さらに、中央列の突起は下方より数個を小径とし、かつ最も背低としている。中央列の上方の数個は人体の頭部、及びまたは頸部に接すべき中背の大径、または中径突起としたゴムまたは軟質合成樹脂製で形成している。
【特許文献１】実開昭４９−１４９８９号公報
【考案の開示】
【考案が解決しようとする課題】
【０００３】
しかしながら、特許文献１に記載のあんま器によれば、このあんま器は寝て使用するため、特に場所と時間を割いて行う必要がある。
【０００４】
そこで、本考案は作業中でも気軽に指圧ができる座席用指圧器を提供することを目的とする。
【課題を解決するための手段】
【０００５】
請求項１に記載の考案は、座席の背もたれの前面に取り付けられてこの座席に座った者の背中と首筋または肩とを同時に押圧可能な座席用指圧器であって、座席の背もたれの前面に取り付けられる、所定幅の板材からなる本体と、この本体の一面でその幅方向の両端にそれぞれ固定されて、その断面が三角形で、その頂点が本体の一面から一定高さに突出し、かつその頂点が形成する稜線が本体の長手方向に沿って平行に延びる同一形状、同一長さの一対の押圧部材と、上記本体の一面にてこれら一対の押圧部材のそれぞれの長手方向の一端側にこの一端に近接してそれぞれ配設され、上記各押圧部材の稜線より高く突設された、先端部が親指形状または半球形状の同一形状、同一長さの一対の第１の指圧部材と、上記本体の一面にてこれら一対の押圧部材のそれぞれの長手方向の一端側にこの一端と第１の指圧部材との間にそれぞれ配設され、その突出高さが第１の指圧部材よりも低く上記各押圧部材の稜線より高く突設され、先端部が親指形状または半球形状の同一形状、かつ同一長さの一対の第２の指圧部材と、を備えた座席用指圧器である。
【０００６】
請求項１に記載の座席用指圧器は、座席の背もたれの前面にこの座席用指圧器を取付け、座席に着座し、使用者が座席用指圧器にもたれかかる。このとき、押圧部材が背中のつぼを押圧し、同時に第１の指圧部材は頸部のつぼを押圧し、第２の指圧部材は肩部のつぼを押圧することができる。この場合、一対の押圧部材は脊椎と同じ方向に延びて、背中を押圧するため、使用者の身長の高低に拘わらず有効に使用できる。
【０００７】
請求項２に記載の考案は、上記本体は、Ｕ字形状の弾性材からなるフックにて上記背もたれに着脱自在とされた請求項１に記載の座席用指圧器である。
【０００８】
上記座席用指圧器はフックを取り付けることによって自動車の座席や事務用椅子、ソファーなどの背もたれに簡単に取り付けて使用することができる。この座席用指圧器は、背もたれから取り外すことも可能である。
【考案の効果】
【０００９】
本考案に係る座席用指圧器によれば、座席に座って他の作業を行うと同時に、指圧部材により指圧を行うことができるため、作業中でも容易に使用することができる。また、座席に掛止するだけで、指圧器として使用できるため、椅子さえあれば、どこでも指圧を行うことができる。また、２本の押圧部材により指圧するため、身長の高低に拘わらず簡単に利用できる。
【考案を実施するための最良の形態】
【００１０】
以下、本考案に係る座席用指圧器の一実施例を、図１〜図４を参照して説明する。
【実施例１】
【００１１】
図１において示すように、本考案に係る座席用指圧器１０は、本体１１と、一対の押圧部材１２Ａ、１２Ｂと、一対の第１の指圧部材１３Ａ、１３Ｂと、一対の第２の指圧部材１４Ａ、１４Ｂと、フック１５とから構成されている。この座席用指圧器１０では、これらの押圧部材１２Ａ、１２Ｂ、第１の指圧部材１３Ａ、１３Ｂ、第２の指圧部材１４Ａ、１４Ｂは、本体１１の長さ方向に延びる中心線に対して左右対称に配置されている。
【００１２】
詳しくは、上記本体１１は、正面視して長方形で上隅の角２箇所が斜めに切断されている一定の厚さの木材製の平板である。つまり、この本体１１は、長辺３０ｃｍ、短辺２０ｃｍの長方形の板の一端（上端）から縦方向に１０ｃｍの位置から短辺に対して角度７５°斜めに切断されている。このため、長辺が２０ｃｍ、下辺が２０ｃｍ、斜辺が約１１ｃｍ、上辺が約１２ｃｍの六角形に形成されている。このため、下端から縦方向に２０ｃｍの位置から斜めに斜辺１１Ａ、１１Ｂが形成されている。
この本体１１の中央に略円形の孔１２０が形成されている。この孔１２０により、座席用指圧器１０の軽量化が図られている。
この本体１１は、縦方向に二分割され、蝶番を用いて、それを連結し、折り畳み可能に形成してもよい。この場合、座席用指圧器１０は持ち運びが容易となる。また、狭い場所に収納することが可能である。
座席の背もたれ１００の前面に、この本体１１は後述するフック１５で掛止されることにより、座席の背もたれ１００の前面に取り付けられる。
【００１３】
上記押圧部材１２Ａ、１２Ｂは、それぞれ本体１１の前面で幅方向の両端位置に本体１１の１対の縦辺に沿って接着剤で固定されている。そのため、これらの押圧部材１２Ａ，１２Ｂは一定の間隔（略１６ｃｍ）を有し、かつ平行に固定されている。
この押圧部材１２Ａ、１２Ｂは、それぞれ断面三角形の２本の棒材で構成される。この２本の押圧部材１２Ａ、１２Ｂは、同一の形状であり、同一の長さである。その頂点が本体１１の前面でその幅方向の両端に一定高さに突出しており、この頂点が形成する稜線１２Ｃ、１２Ｄが平行に延びるように固定されている。この接着剤の代わりに、螺子や釘によって本体１１の一面に押圧部材１２Ａ、１２Ｂの一つの面が固定されてもよい。
この押圧部材１２Ａ、１２Ｂは、木製であるが、プラスチック製でもよい。この押圧部材１２Ａ、１２Ｂは、断面が直角二等辺三角形の棒材で形成され、その長さは１０〜１５ｃｍである。
この押圧部材１２Ａ、１２Ｂは、実施例では断面が直角二等辺三角形であるため、頂点の角度は９０°であるが、この角度は任意である。しかし、角度が大きすぎると、指圧の効果が得られにくい。逆に、角度が小さすぎると、快適に指圧を行うことができない。
また、この押圧部材１２Ａ、１２Ｂの頂点は面取りしてある。面取りにより、押圧部材１２Ａ、１２Ｂの角が丸みが付加されることにより、安全に座席用指圧器１０を使用することができる。
【００１４】
上記押圧部材１２Ａ、１２Ｂに隣接して、上記斜辺１１Ａ、１１Ｂに沿って、図２に示す指圧部固定部材１６Ａ、１６Ｂが上記本体１１の前面にて、接着剤により固定されている。すなわち、この指圧部固定部材１６Ａ、１６Ｂは、上記一対の押圧部材１２のそれぞれの長手方向の一端から、上記斜辺１１Ｃ、１１Ｄに沿って接着剤により固定されている。この指圧部固定部材１６Ａ、１６Ｂは側面視して長方形の一端の角１箇所が切断されている一定の厚さのチップである。角を切断することによって形成された切断辺１６Ｃ、１６Ｄは湾曲している。
この指圧部固定部材１６Ａ、１６Ｂの前面の平坦部分に後述する第１の指圧部材１３Ａ、１３Ｂが固定されている。そして、この指圧部固定部材１６Ａ，１６Ｂの湾曲部分に、後述する第２の指圧部材１４Ａ、１４Ｂが固定されている。
【００１５】
上記第１の指圧部材１３Ａ、１３Ｂは、上記指圧部固定部材１６Ａ、１６Ｂの前面に形成されている平坦面にあって前方に向かって突出している。
この第１の指圧部材１３Ａ、１３Ｂは、円柱体と、その先端に取り付けられている親指突起とを有する。この円柱体は半径２〜３ｃｍ、高さ２〜４ｃｍである。この円柱体の先端に親指の先端と略同一形状をなしている親指突起が取り付けられている。この親指突起は半球状であってもよい。このため、座席用指圧器１０を用いて、マッサージ師による指圧と同じ感覚で行うことが可能となる。
この第１の指圧部材１３Ａ，１３Ｂは木製である。この第１の指圧部材１３Ａ、１３Ｂの本体１１の前面からの高さは４〜７ｃｍである。
【００１６】
上記第２の指圧部材１４Ａ、１４Ｂは、上記指圧部固定部材１６Ａ、１６Ｂの前面に形成されている湾曲面１６Ｃ、１６Ｄにあって前方に向かって突出している。
この第１の指圧部材１４Ａ、１４Ｂは、円柱体と、その先端に取り付けられている親指突起とを有する。この円柱体は半径２〜３ｃｍ、高さ２〜４ｃｍである。この円柱体の先端に親指の先端と略同一形状をなしている親指突起が取り付けられている。この親指突起は半球状であってもよい。このため、座席用指圧器１０を用いて、マッサージ師による指圧と同じ感覚で行うことが可能となる。
この第１の指圧部材１４Ａ，１４Ｂは木製である。この第１の指圧部材１４Ａ、１４Ｂの本体１１の前面からの高さは３〜５ｃｍである。
【００１７】
上記フック１５は、本体１１の背面の上端の中央に取り付けられているステンレス製の板ばねで構成されている。このフック１５は、Ｕ字形状をなしている。このフック１５は、座席の背もたれ１００に掛止できる大きさを有している。
【００１８】
以上の構成からなる上記座席用指圧器１０を使用する方法について説明する。
【００１９】
まず、上記座席用指圧器１０に取り付けられているフック１５を、自動車の座席の背もたれ１００の上端部に掛止する。このため、座席用指圧器１０は、背もたれ１００の前面に取り付けられる。
次に、使用者２００は座席の座１１０に着座し、背もたれ１００に使用者２００の背中をもたれかかる。その際に、使用者２００の頸部のつぼは第１の指圧部材１３Ａ、１３Ｂに当接して押圧される。同時に、使用者２００の肩部のつぼは第２の指圧部材１４Ａ、１４Ｂに押圧される。また、使用者２００の背中のつぼは押圧部材１２Ａ、１２Ｂに押圧される。つまり、座席用指圧器１０によって、使用者２００の背中と頸部と肩部のつぼは同時に押圧される。
【００２０】
使用者２００は背中を座席用指圧器１０を押圧するだけで、マッサージ師の指圧と同じ感覚で指圧を行うことができ、マッサージ師の指圧と同じ効果を得ることができる。
なお、この座席用指圧器１０を使用する際、使用者２００の手は使用しないため、例えば、事務用椅子に取りつけて、座席用指圧器１０を用いても、事務作業を同時に行うことが可能となる。
【図面の簡単な説明】
【００２１】
【図１】本考案の一実施例に係る座席用指圧器を示す正面図である。
【図２】本考案の一実施例に係る座席用指圧器を示す側面図である。
【図３】本考案の一実施例に係る座席用指圧器を示す上面図である。
【図４】本考案の一実施例に係る座席用指圧器を使用時の状況を示す側面図である。
【符号の説明】
【００２２】
１０  座席用指圧器、
１１  本体、
１２Ａ、１２Ｂ  押圧部材、
１３Ａ、１３Ｂ  第１の指圧部材、
１４Ａ、１４Ｂ  第２の指圧部材、
１５  フック、
１００  背もたれ。
【図１】
0003146377.tif 000003
【図２】
0003146377.tif 000004
【図３】
0003146377.tif 000005
【図４】
0003146377.tif 000006